(57)【特許請求の範囲】
【請求項１】
冷媒と通過空気との間で熱交換させる冷房用エバポレータ（５）と、
前記冷房用エバポレータ（５）に供給する冷媒を減圧する第１減圧手段（４）と、
前記冷房用エバポレータ（５）の上部に配置され、冷媒と通過空気との間で熱交換させる除湿用エバポレータ（７）と、
前記除湿用エバポレータ（７）に供給する冷媒を減圧する第２減圧手段（６）と、
前記除湿用エバポレータ（７）の通過前の空気の露点温度を認識する露点温度認識手段（１８）と、
前記冷房用エバポレータ（５）の通過空気と前記除湿用エバポレータ（７）の通過空気の混合後の空気温度を検知する吹き出し空気温度検知手段（Ｓ５）とを備え、
前記露点温度認識手段（１８）により露点温度を認識して前記除湿用エバポレータ（７）の通過空気の温度が露点温度以下になるよう前記第２減圧手段（６）を制御し、前記吹き出し空気温度検知手段（Ｓ５）の検知する空気温度が目標吹き出し空気温度になるよう前記第１減圧手段（４）を制御する制御部（１０）とを備えたことを特徴とする空気調和装置（１）。
【請求項２】
冷媒と通過空気との間で熱交換させる冷房用エバポレータ（５）と、
前記冷房用エバポレータ（５）に供給する冷媒を減圧する第１減圧手段（４）と、
前記冷房用エバポレータ（５）の上部に配置され、冷媒と通過空気との間で熱交換させる除湿用エバポレータ（７）と、
前記除湿用エバポレータ（７）に供給する冷媒を減圧する第２減圧手段（６）と、
前記除湿用エバポレータ（７）の通過空気の温度が露点温度以下になるよう前記第２減圧手段（６）を制御すると共に、前記除湿用エバポレータ（７）の通過空気と前記冷房用エバポレータ（５）の通過空気の混合後の空気温度が所望温度となるよう前記第１減圧手段（４）を制御する制御部（１０）とを備え、
前記除湿用エバポレータ（７）には、通過空気の流れ方向の少なくとも２箇所に凝縮水が前記冷房用エバポレータ（５）に向かって滴下する箇所が設けられていることを特徴とする空気調和装置（１）。
【請求項３】
請求項１又は請求項２記載の空気調和装置（１）であって、
前記冷房用エバポレータ（５）と前記除湿用エバポレータ（７）は、重ね合わせた多数のチューブシート（２０）によって一体に構成され、重ね合わせた多数のチューブシート（２０）の下部に第１減圧手段（４）によって減圧された冷媒が流れる冷房用エバポレータ（５）が、上部に第２減圧手段（６）によって減圧された冷媒が流れる除湿用エバポレータ（７）が構成されていることを特徴とする空気調和装置（１）。
【請求項４】
請求項１〜請求項３のいずれかに記載の空気調和装置（１）であって、
前記冷房用エバポレータ（５）と前記除湿用エバポレータ（７）への送風割合を可変できる配風量調整手段（１３），（３０，３１）が設けられていることを特徴とする空気調和装置（１）。
【請求項５】
請求項１〜請求項４のいずれかに記載の空気調和装置（１）であって、
前記冷房用エバポレータ（５）と前記除湿用エバポレータ（７）は、同じ冷凍サイクル（Ａ）内に直列で、且つ、前記除湿用エバポレータ（７）が前記冷房用エバポレータ（５）の後流に接続されていることを特徴とする空気調和装置（１）。
【請求項６】
冷媒と通過空気との間で熱交換させる冷房用エバポレータ（５）と、
前記冷房用エバポレータ（５）に供給する冷媒を減圧する第１減圧手段（４）と、
前記冷房用エバポレータ（５）の上部に配置され、冷媒と通過空気との間で熱交換させる除湿用エバポレータ（７）と、
前記除湿用エバポレータ（７）に供給する冷媒を減圧する第２減圧手段（６）と、
冷房すべき室内温度が目標室内温度より高い場合には通常冷房モードを選択し、通常冷房モードでは、前記第２減圧手段（６）の絞りを最大開度として前記第１減圧手段（４）を制御することによって前記除湿用エバポレータ（７）の通過空気の温度が露点温度以下になるよう制御し、
通常冷房モードによって冷房すべき室内温度が目標室内温度になった場合には省エネ冷房モードを選択し、省エネ冷房モードでは、空調用通路（１２）の吹き出し空気温度を維持し、且つ、前記除湿用エバポレータ（７）の通過温度を露点温度以下に維持しつつ、前記第１減圧手段（４）の絞り開度を徐々に開放し、且つ、前記第２減圧手段（６）の絞りを最大開度から徐々に閉塞する制御を行う制御部（１０）とを備えたことを特徴とする空気調和装置（１）。
【請求項７】
請求項６に記載の空気調和装置（１）であって、
前記冷房用エバポレータ（５）と前記除湿用エバポレータ（７）の後流にヒータコア（１５）と共に前記ヒータコア（１５）への空気通過量と迂回量を調整できるミックスドア（１６）が設けられ、
前記制御部（１０）は、省エネ冷房モードでは、前記第１減圧手段（４）と前記第２減圧手段（６）の絞り開度調整と共に前記ミックスドア（１６）の位置を徐々に前記ヒータコア（１５）への空気通過量を絞る方向に移動する制御を行い、前記ヒータコア（１５）への通過空気量を全て遮断する位置で前記ミックスドア（１６）の位置を固定することを特徴とする空気調和装置（１）。
【請求項８】
冷媒と通過空気との間で熱交換させる冷房用エバポレータ（５）と、
前記冷房用エバポレータ（５）に供給する冷媒を減圧する第１減圧手段（４）と、
前記冷房用エバポレータ（５）の上部に配置され、冷媒と通過空気との間で熱交換させる除湿用エバポレータ（７）と、
前記除湿用エバポレータ（７）に供給する冷媒を減圧する第２減圧手段（６）と、を有する空気調和装置（１）の制御方法であって、
前記除湿用エバポレータ（７）を通過する空気の温度が露点温度以下になるよう前記第２減圧手段（６）を制御するステップと、
前記除湿用エバポレータ（７）の表面に凝縮水を発生させるステップと、
前記凝縮水を前記除湿用用エバポレータ（７）から滴下させて前記冷房用エバポレータ（５）に付着させるステップと、
前記除湿用エバポレータ（７）の通過空気と前記冷房用エバポレータ（５）の通過空気の混合後の空気温度が所望温度となるよう前記第１減圧手段（４）を制御するステップとを備えたことを特徴とする空気調和装置（１）の制御方法。
【発明の詳細な説明】
【技術分野】
【０００１】
本発明は、エバポレータを通過した空気より不快な臭いが発生しない空気調和装置及びその制御方法に関する。
【背景技術】
【０００２】
この種の従来の空気調和装置としては、空調用通路内にエバポレータとヒータコアをこの順に配置し、エバポレータの通過空気を常に露点温度以下に冷却するよう構成されたものがある。この空気調和装置では、空調用通路からの吹き出し空気温度が１５℃程度となる中間期等では、エバポレータを通過した冷風をヒータコアで再加熱して空調用通路より所望温度の冷風を吹き出すことになる。
【０００３】
エバポレータの通過空気が露点温度以下であるため、エバポレータの表面には凝縮水が発生し、この凝縮水がエバポレータの表面に付着した臭い成分を溶解し、これによってエバポレータの通過空気より不快な臭いの発生を防止できるが、エバポレータの通過空気が露点温度以下になるよう冷凍サイクルを駆動する必要が有り、省動力化が図れない。
【０００４】
ここで、冷凍サイクルの省動力化を図るために、エバポレータの出口空気温度を１５℃に制御すると、ヒータコアでの再加熱も必要ない。しかし、室内が暖かい運転初期では、エバポレータの通過空気が露点温度以下となるが、室内が冷却されてくるとエバポレータの通過空気が露点温度より高くなる。すると、濡れていたエバポレータが半乾き状態になり、エバポレータの通過空気より不快な臭いが発生することになる。
【０００５】
一方、臭いの発生を防止しつつ省動力化が可能な従来の空気調和装置として特許文献１に開示されたものがある。この空気調和装置は、走行用エンジンの駆動力によって選択的にオン・オフ可能なコンプレッサと、空調用通路内に配置されたエバポレータと、コンプレッサのオンオフ等を制御する制御部とを備えている。
【０００６】
制御部は、コンプレッサのオン時には、エバポレータの通過空気を露点温度以下に冷却する。室内が所定温度にまで冷却されると、コンプレッサをオフするが、コンプレッサがオフされた時点からの時間（オフ時間）を計測し、制御タイマー時間だけ経過するとコンプレッサを自動的にオンさせる。つまり、凝縮水によって一旦濡れたエバポレータが半乾きになる前に冷凍サイクルを作動させてエバポレータを常に濡れた状態として臭いの発生を防止するものである。
【特許文献１】特開平１１−１９８６４４号公報
【発明の開示】
【発明が解決しようとする課題】
【０００７】
しかしながら、前記従来例の空気調和装置では、コンプレッサがオフになって制御タイマー時間だけ経過すると、強制的にコンプレッサがオンされるため、十分な省動力運転を行うことができないという問題がある。
【０００８】
そこで、本発明は、エバポレータの通過空気からの臭いの発生を防止し、しかも、十分な省動力運転ができる空気調和装置及びその制御方法を提供することを目的とする。
【課題を解決するための手段】
【０００９】
上記目的を達成する請求項１の発明は、冷媒と通過空気との間で熱交換させる冷房用エバポレータと、前記冷房用エバポレータに供給する冷媒を減圧する第１減圧手段と、前記冷房用エバポレータの上部に配置され、冷媒と通過空気との間で熱交換させる除湿用エバポレータと、前記除湿用エバポレータに供給する冷媒を減圧する第２減圧手段と、前記除湿用エバポレータの通過前の空気の露点温度を認識する露点温度認識手段と、前記冷房用エバポレータの通過空気と前記除湿用エバポレータの通過空気の混合後の空気温度を検知する吹き出し空気温度検知手段とを備え、前記露点温度認識手段により露点温度を認識して前記除湿用エバポレータの通過空気の温度が露点温度以下になるよう前記第２減圧手段を制御し、前記吹き出し空気温度検知手段の検知する空気温度が目標吹き出し空気温度になるよう前記第１減圧手段を制御する制御部とを備えたことを特徴とする空気調和装置である。
【００１０】
請求項２の発明は、冷媒と通過空気との間で熱交換させる冷房用エバポレータと、前記冷房用エバポレータに供給する冷媒を減圧する第１減圧手段と、前記冷房用エバポレータの上部に配置され、冷媒と通過空気との間で熱交換させる除湿用エバポレータと、前記除湿用エバポレータに供給する冷媒を減圧する第２減圧手段と、前記除湿用エバポレータの通過空気の温度が露点温度以下になるよう前記第２減圧手段を制御すると共に、前記除湿用エバポレータの通過空気と前記冷房用エバポレータの通過空気の混合後の空気温度が所望温度となるよう前記第１減圧手段を制御する制御部とを備え、前記除湿用エバポレータには、通過空気の流れ方向の少なくとも２箇所に凝縮水が前記冷房用エバポレータに向かって滴下する箇所が設けられていることを特徴とする空気調和装置である。
【００１１】
請求項３の発明は、請求項１又は請求項２記載の空気調和装置であって、前記冷房用エバポレータと前記除湿用エバポレータは、重ね合わせた多数のチューブシートによって一体に構成され、重ね合わせた多数のチューブシートの下部に第１減圧手段によって減圧された冷媒が流れる冷房用エバポレータが、上部に第２減圧手段によって減圧された冷媒が流れる除湿用エバポレータが構成されていることを特徴とする空気調和装置である。
【００１２】
請求項４の発明は、請求項１〜請求項３のいずれかに記載の空気調和装置であって、前記冷房用エバポレータと前記除湿用エバポレータへの送風割合を可変できる配風量調整手段が設けられていることを特徴とする空気調和装置である。
【００１３】
請求項５の発明は、請求項１〜請求項４のいずれかに記載の空気調和装置であって、前記冷房用エバポレータと前記除湿用エバポレータは、同じ冷凍サイクル内に直列で、且つ、前記除湿用エバポレータが前記冷房用エバポレータの後流に接続されていることを特徴とする空気調和装置である。
【００１４】
請求項６の発明は、冷媒と通過空気との間で熱交換させる冷房用エバポレータと、前記冷房用エバポレータに供給する冷媒を減圧する第１減圧手段と、前記冷房用エバポレータの上部に配置され、冷媒と通過空気との間で熱交換させる除湿用エバポレータと、前記除湿用エバポレータに供給する冷媒を減圧する第２減圧手段と、冷房すべき室内温度が目標室内温度より高い場合には通常冷房モードを選択し、通常冷房モードでは、前記第２減圧手段の絞りを最大開度として前記第１減圧手段を制御することによって前記除湿用エバポレータの通過空気の温度が露点温度以下になるよう制御し、通常冷房モードによって冷房すべき室内温度が目標室内温度になった場合には省エネ冷房モードを選択し、省エネ冷房モードでは、空調用通路の吹き出し空気温度を維持し、且つ、前記除湿用エバポレータの通過温度を露点温度以下に維持しつつ、前記第１減圧手段の絞り開度を徐々に開放し、且つ、前記第２減圧手段の絞りを最大開度から徐々に閉塞する制御を行う制御部とを備えたことを特徴とする空気調和装置である。
【００１５】
請求項７の発明は、請求項６に記載の空気調和装置であって、前記冷房用エバポレータと前記除湿用エバポレータの後流にヒータコアと共に前記ヒータコアへの空気通過量と迂回量を調整できるミックスドアが設けられ、前記制御部は、省エネ冷房モードでは、前記第１減圧手段と前記第２減圧手段の絞り開度調整と共に前記ミックスドアの位置を徐々に前記ヒータコアへの空気通過量を絞る方向に移動する制御を行い、前記ヒータコアへの通過空気量を全て遮断する位置で前記ミックスドアの位置を固定することを特徴とする空気調和装置である。
【００１６】
請求項８の発明は、冷媒と通過空気との間で熱交換させる冷房用エバポレータと、前記冷房用エバポレータに供給する冷媒を減圧する第１減圧手段と、前記冷房用エバポレータの上部に配置され、冷媒と通過空気との間で熱交換させる除湿用エバポレータと、前記除湿用エバポレータに供給する冷媒を減圧する第２減圧手段と、を有する空気調和装置の制御方法であって、前記除湿用エバポレータを通過する空気の温度が露点温度以下になるよう前記第２減圧手段を制御するステップと、前記除湿用エバポレータの表面に凝縮水を発生させるステップと、前記凝縮水を前記除湿用エバポレータから滴下させて前記冷房用エバポレータに付着させるステップと、前記除湿用エバポレータの通過空気と前記冷房用エバポレータの通過空気の混合後の空気温度が所望温度となるよう前記第１減圧手段を制御するステップとを備えたことを特徴とする空気調和装置の制御方法である。
【発明の効果】
【００１７】
請求項１の発明によれば、除湿用エバポレータの通過空気は露点温度以下に冷却されることから、除湿用エバポレータは凝縮水によって常に濡れた状態となると共に除湿用エバポレータで発生した凝縮水は自重によって冷房用エバポレータに掛かることから冷房用エバポレータも常に濡れた状態となるため、双方のエバポレータからの臭いの発生を防止できる。又、冷房用エバポレータはその通過空気を露点温度以下に冷却する必要がなく、除湿用エバポレータの通過空気との混合空気の温度が所望の空気温度となるよう冷却すれば良いため、必要最小限の冷却能力で足りる。以上より、臭いの発生を防止し、しかも、十分な省動力運転ができる。
その上、制御部は、露点温度認識手段により露点温度を認識して第２減圧手段を制御し、吹き出し空気温度手段の検知する空気温度によって第１減圧手段を制御するため、除湿用エバポレータの通過空気を確実に露点温度以下に設定でき、しかも、空調用通路の吹き出し空気温度を確実に目的の空気温度にできる。
【００１８】
請求項２の発明によれば、請求項１の発明の効果に加え、冷房用エバポレータを極力まんべんなく濡らすことができる。
【００１９】
請求項３の発明によれば、請求項１又は請求項２の発明の効果に加え、冷房用エバポレータと除湿用エバポレータを安価に構成できる。
【００２０】
請求項４の発明によれば、請求項〜請求項３の発明の効果に加え、冷房用エバポレータと除湿用エバポレータを通過した空気の混合後の温度調整を配風量調整手段によって行うことができ、吹き出し空気の温度調整が簡単にできる。
【００２１】
請求項５の発明によれば、請求項１〜請求項４の発明の効果に加え、簡単な構造により除湿用エバポレータの冷媒蒸発温度を冷房用エバポレータよりも低く設定できる。
【００２２】
請求項６の発明によれば、請求項１〜請求項５の発明の効果に加え、通常冷房モードでは、冷房用エバポレータと除湿用エバポレータの冷媒蒸発圧力が共に低く設定されるため、双方のエバポレータが自らの凝縮水で濡れた状態となって臭いの発生がなく、最大冷房性能を発揮し迅速な冷房が可能である。そして、通常冷房モードから省エネ冷房モードに切り換えられた場合には、室内温度を目標室内温度に維持しつつ除湿用エバポレータの通過空気を露点温度以下とする状態、つまり、臭いを発生することなく十分な省動力運転ができる。
【００２３】
請求項７の発明によれば、請求項６の発明の効果に加え、通常冷房モードから省エネ冷房モードに切り換えられた場合では、冷房用エバポレータ及び除湿用エバポレータを通過した冷風がヒータコアで再加熱されない状態に移行するため、更なる省動力運転が可能である。
【００２４】
請求項８の発明によれば、除湿用エバポレータは凝縮水によって常に濡れた状態となると共に除湿用エバポレータで発生した凝縮水は自重によって冷房用エバポレータに掛かることから冷房用エバポレータも常に濡れた状態となるため、双方のエバポレータからの臭いの発生を防止できる。又、冷房用エバポレータはその通過空気を露点温度以下に冷却する必要がなく、除湿用エバポレータの通過空気との混合空気の温度が所望の空気温度となるよう冷却すれば良いため、必要最小限の冷却能力で足りる。以上より、臭いの発生を防止し、しかも、十分な省動力運転ができる。
【発明を実施するための最良の形態】
【００２５】
以下、本発明の実施の形態を図面に基づいて説明する。
【００２６】
（一実施形態）
図１〜図５は本発明の空気調和装置を車両用空気調和装置に適用した実施形態を示し、図１は車両用空気調和装置の構成図、図２は空調ダクト内の配置図、図３（ａ）はチューブシートの内面図、図３（ｂ）は図３（ａ）のＡ−Ａ線断面図、図４は冷房用エバポレータ及び除湿用エバポレータの冷媒流れを示す概念図、図５は車両用空気調和装置の空調動作フローチャートである。
【００２７】
図１に示すように、車両用空気調和装置１は、冷凍サイクルＡを有する。冷凍サイクルＡはコンプレッサ２とコンデンサ３と第１減圧手段である第１膨脹弁４と冷房用エバポレータ５と第２減圧手段である第２膨脹弁６と除湿用エバレータ７とを備え、これらがこの順で配管８によって接続されている。
【００２８】
コンプレッサ２は、冷凍サイクルＡ内に封入された冷媒を吸入し、吸入した冷媒を圧縮して吐出する。冷媒は、コンプレッサ２によって冷凍サイクルＡ内を循環する。コンプレッサ２は、制御部１０によって駆動が制御される。
【００２９】
コンデンサ３は、コンプレッサ２で圧縮された高温高圧の冷媒と外気との間で熱交換させ、熱交換によって冷媒に放熱させる。
【００３０】
第１膨脹弁４は、コンデンサ３で冷却された冷媒を絞り膨脹する。第１膨脹弁４の絞り開度は、制御部１０によって制御される。冷房用エバポレータ５は、第１膨脹弁４で減圧された冷媒を熱交換によって吸熱させる。第２膨脹弁６は、冷房用エバポレータ５より排出された冷媒を更に絞り膨脹する。第２膨脹弁６の絞り開度も制御部１０によって制御される。除湿用エバポレータ７は、第２膨脹弁６で減圧された冷媒を熱交換によって吸熱させる。つまり、冷房用エバポレータ５と除湿用エバポレータ７は、同一の冷凍サイクルＡ内に直列で、且つ、除湿用エバポレータ７が冷房用エバポレータ５の後流に接続されている。冷房用エバポレータ５と除湿用エバポレータ７の配置及び構成については、下記する。
【００３１】
又、冷房用エバポレータ５と除湿用エバポレータ７の各出口側の配管８には、冷媒圧力を検知する第１冷媒圧力センサＳ１及び第２冷媒圧力センサＳ２が設けられている。第１冷媒圧力センサＳ１と第２冷媒圧力センサＳ２の検知出力は、制御部１０に出力される。
【００３２】
図２に示すように、冷房用エバポレータ５と除湿用エバポレータ７は、空調ケース１１内の空調用通路１２に配置されている。冷房用エバポレータ５と除湿用エバポレータ７は、送風方向の同じ位置で、冷房用エバポレータ５が下部に、除湿用エバポレータ７が上部に配置されている。冷房用エバポレータと除湿用エバポレータの上流側の空調用通路１２には、ブロワ（図示せず）が配置され、このブロアによって空調用通路１２に内気又は外気を吸い込むことができるようになっている。
【００３３】
冷房用エバポレータ５と除湿用エバポレータ７の上流端には、配風量調整手段である配風ドア１３が設けられている。配風ドア１３の位置によって冷房用エバポレータ５と除湿用エバポレータ７への配風割合を調整できるようになっている。配風ドア１３の位置は、配風ドアモータ１４（図１に示す）によって駆動される。配風ドアモータ１４は制御部１０によって制御される。
【００３４】
冷房用エバポレータと除湿用エバポレータより下流の空調用通路１２には、ヒータコア１５が配置されている。ヒータコア１５内には、エンジン等の駆動源を冷却するための冷却水が循環され、冷却水と通過空気との間で熱交換させることによって通過空気を加熱する。ヒータコア１５の上流には、ミックスドア１６が設けられている。ミックスドア１６の位置によってヒータコア１５内を通過する送風量とヒータコア１５を迂回する送風量の割合を調整できる。ミックスドア１６の位置は、ミックスドアモータ１７（図１に示す）によって駆動される。ミックスドアモータ１７は、制御部１０によって制御される。
【００３５】
空調用通路１２の最下流は、車室内に開口する吹出口（図示せず）に連通され、空調された空気は吹出口より車室内に吹き出される。
【００３６】
又、空調用通路１２の除湿用エバポレータ７の直ぐ上流には、吸い込み空気の温度と相対湿度をそれぞれ検知する吸い込み空気温度センサＳ３及び相対湿度センサＳ４が設けられている。吸い込み空気温度センサＳ３と相対湿度センサＳ４によって露点温度認識手段１８が構成され、これらの検知出力は、制御部１０に出力される。
【００３７】
空調用通路１２のヒータコア１５より下流には、吹き出し空気の温度を検知する吹き出し空気温度検知手段である吹き出し空気温度センサＳ５が設けられている。この吹き出し空気温度センサＳ５の検知出力は、制御部１０に出力される。
【００３８】
又、車室内には室内温度を検知する室内空気温度センサＳ６が設けられている。
【００３９】
制御部１０には、上記したように種々のセンサ出力と共にユーザからの空調指令（空調オン・オフ、車室内空調温度、ブロアの送風力等）が入力され、図５に示す空調動作フローを実行する。図５の空調動作フローについては、動作説明の箇所で説明する。
【００４０】
次に、冷房用エバポレータ５と除湿用エバポレータ７の具体的構成を説明する。図３（ａ）、（ｂ）に示すように、冷房用エバポレータ５と除湿用エバポレータ７は、重ね合わせた多数のチューブシート２０より一体に構成されている。つまり、チューブシート２０は、上部と下部のそれぞれに２箇所に、上下一対のタンク用孔２１，２２とこれらを連通する冷媒通路用溝２３，３４が形成されている。冷房用エバポレータ５と除湿用エバポレータ７は、このような構成のチューブシート２０を、その向きを交互に逆として重ね合わせることによって一体に構成されている。具体的には、重ね合わせた多数のチューブシート２０の互いに隣接するタンク用孔２１，２２によってタンク部が構成され、互いに向かい合う冷媒通路用溝２３，２４によって冷媒通路が構成される。冷媒通路内には、インナーフィン（図示せず）が配置される。そして、重ね合わせた多数のチューブシート２０の下部の一対のタンク用孔２１と冷媒通路用溝２３の箇所によって冷房用エバポレータ５が、上部の一対のタンク用孔２２と冷媒通路用溝２４の箇所によって除湿用エバポレータ７が構成されている。
【００４１】
又、チューブシート２０には、上部と下部にそれぞれ２箇所に間隔を置いて一対のタンク用孔２１，２２と冷媒通路用溝２３，２４の構成が分割配置されていることから、除湿用エバポレータ７には、通過空気の方向Ｈの２箇所に凝縮水が冷房用エバポレータ５に向かって滴下する箇所ａ，ｂが設けられている。
【００４２】
チューブシート２０は、基本的には同じ構成のものが使用されているが、その一部にはタンク用孔２１，２２が閉塞されたものが使用されている。これによって、冷房用エバポレータ５内と除湿用エバポレータ７内の冷媒は、図４にて矢印で示す流れに沿って流れるよう構成されている。
【００４３】
次に、車両用空気調和装置１の動作を説明する。図５に示すように、冷房スイッチがオンされると（ステップＳ１）、コンプレッサ２、ブロア（図示せず）等が駆動される（ステップＳ２）。そして、目標の室内温度より目標吹き出し空気温度Ｔｏを設定する（ステップＳ３）。次に、吸い込み空気温度センサＳ３と相対湿度センサＳ４の検知出力より空調用通路１２への吸い込み空気温度Ｔａ１と相対湿度ＲＨ１を読み込む（ステップＳ４）。これらデータより露点温度Ｔｅ２を認識し、露点温度Ｔｅ２に対応する冷媒蒸発圧力Ｐｅ２を算出する（ステップＳ５）。この算出した冷媒蒸発圧力Ｐｅ２となるよう第２膨脹弁６の絞りを調整する（ステップＳ６）。又、目標吹き出し空気温度Ｔｏ、除湿用エバポレータ７の通過空気温度Ｔｅ２より冷房用エバポレータ５の目標通過空気温度Ｔｅ１を算出し、当該温度に対応する冷媒蒸発圧力Ｐｅ１を算出する（ステップＳ７）。算出した冷媒蒸発圧力Ｐｅ１となるよう第１膨脹弁４の絞りを調整する（ステップＳ８）。以降、これら動作を繰り返す。
【００４４】
除湿用エバポレータ７の通過空気は露点温度以下に冷却されることから、除湿用エバポレータ７は凝縮水によって常に濡れた状態となる。そして、除湿用エバポレータ７で発生した凝縮水は自重によって冷房用エバポレータ５に掛かることから冷房用エバポレータ５も常に濡れた状態となるため、除湿用エバポレータ７及び冷房用エバポレータ５の双方からの臭いの発生を防止できる。又、冷房用エバポレータ５はその通過空気を露点温度以下に冷却する必要がなく、除湿用エバポレータ７の通過空気との混合空気の温度が所望の空気温度となるよう冷却すれば良いため、必要最小限の冷却能力で足りる。
【００４５】
以上、冷房用エバポレータ５と、冷房用エバポレータ５に供給する冷媒を減圧する第１膨脹弁４と、冷房用エバポレータ５の上部に配置された除湿用エバポレータ７と、除湿用エバポレータ７に供給する冷媒を減圧する第２膨脹弁６と、除湿用エバポレータ７の通過空気の温度が露点温度以下になるよう第２膨脹弁６を制御すると共に、除湿用エバポレータ７の通過空気と冷房用エバポレータ５の通過空気の混合後の空気温度が所望温度となるよう第１膨脹弁４を制御する制御部１０とを備えたので、臭いの発生を防止し、しかも、十分な省動力運転ができる。
【００４６】
具体的には、従来例にあっては、単一のエバポレータとこの後流に配置されたヒータコアとを有し、エバポレータの通過空気温度を露点以下に冷却し、この冷風をヒータコアで再加熱して所望の吹き出し空気温度とする場合には、温度２５℃で湿度５０％の通過空気（快適ゾーンに属する）をエバポレータで温度１０℃で湿度９５％まで冷却し、ヒータコアで再加熱して１５℃の吹き出し空気を得るには、冷房性能としては３３９５Ｗ（Ｇａ＝８ｍ３／ｍｉｎ想定）が必要である。これに対し、本実施形態では、温度２５℃で湿度５０％の通過空気を除湿用エバポレータ７で１２℃で９５％（Ｇａ＝４ｍ３／ｍｉｎ想定）に冷却し、冷房用エバポレータ５で温度１８℃で湿度７８％（Ｇａ＝４ｍ３／ｍｉｎ想定）に冷却し、これら空気を混合して温度１５℃の吹き出し空気を得るには、冷房性能としては１８５４Ｗで済むため、臭いの発生を防止しつつ約５０％弱程度の省動力化ができる。
【００４７】
この実施形態では、除湿用エバポレータ７の通過前の空気の露点温度を認識する露点温度認識手段（吸い込み空気温度センサＳ３と相対湿度センサＳ４）１８と、冷房用エバポレータ５の通過空気と除湿用エバポレータ７の通過空気の混合後の空気温度を検知する吹き出し空気温度検知センサＳ５とを備え、制御部１０は、露点温度認識手段１８により露点温度を認識して除湿用エバポレータ７の通過空気の温度が露点温度以下になるよう第２膨脹弁６を制御し、吹き出し空気温度センサＳ５の検知する空気温度が目標吹き出し空気温度になるよう第１膨脹弁４を制御する。従って、除湿用エバポレータ７の通過空気を確実に露点温度以下に設定でき、しかも、空調用通路１２の吹き出し空気温度を確実に目的の空気温度にできる。
【００４８】
この実施形態では、冷房用エバポレータ５と除湿用エバポレータ７は、重ね合わせた多数のチューブシート２０によって一体に構成され、重ね合わせた多数のチューブシート２０の下部に第１膨脹弁４によって減圧された冷媒が流れる冷房用エバポレータ５が、上部に第２膨脹弁６によって減圧された冷媒が流れる除湿用エバポレータ７が構成されている。従って、冷房用エバポレータ５と除湿用エバポレータ７を安価に構成できる。この実施形態では、冷房用エバポレータ５と除湿用エバポレータ７は、重ね合わせた多数のチューブシート２０によって一体に構成されているが、冷房用エバポレータ５と除湿用エバポレータ７を別個独立に構成しても良いことはもちろんである。冷房用エバポレータ５と除湿用エバポレータ７を別個独立に設けた場合には、冷房用エバポレータ５と除湿用エバポレータ７を上下方向に密着して配置しても、上下方向に隙間を介して配置しても良い。又、冷房用エバポレータ５の真上位置でなく、多少シフトした位置に除湿用エバポレータ７を設けても良い。更に、除湿用エバポレータ７と冷房用エバポレータ５との間に凝縮水ガイド路を設けて除湿用エバポレータ７からの凝縮水が確実に、且つ、所望の位置より冷房用エバポレータ５に滴下するよう構成しても良い。
【００４９】
この実施形態では、除湿用エバポレータ７と冷房用エバポレータ５との間には、通過空気の流れ方向の少なくとも２箇所に凝縮水が滴下する箇所ａ，ｂが設けられている。従って、冷房用エバポレータ５を極力まんべんなく濡らすことができる。この実施形態では、２箇所に凝縮水が滴下する箇所ａ，ｂが設けられているが、３箇所以上に設けても良いことはもちろんであり、滴下箇所が多ければ多いほど冷房用エバポレータ５をまんべんなく濡らすことができ、好ましい。
【００５０】
この実施形態では、空調用通路１２には、冷房用エバポレータ５と除湿用エバポレータ７への送風割合を可変できる配風ドア１３が設けられている。従って、冷房用エバポレータ５と除湿用エバポレータ７を通過した空気の混合後の温度調整を配風ドア１３によって行うことができ、吹き出し空気の温度調整が簡単にできる。
【００５１】
この実施形態では、冷房用エバポレータ５と除湿用エバポレータ７は、同じ冷凍サイクルＡ内に直列で、且つ、除湿用エバポレータ７が冷房用エバポレータ５の後流に接続されている。従って、簡単な構造により除湿用エバポレータ７の冷媒蒸発温度を冷房用エバポレータ５よりも低く設定できる。
【００５２】
この実施形態では、露点温度認識手段１８は、吸い込み空気温度センサＳ３と相対湿度センサＳ４から構成されているが、露点温度計にて構成しても良い。
【００５３】
（車両用空気調和装置の他の制御例）
次に、車両用空気調和装置の他の制御例を説明する。この他の制御では、露点温度認識手段１８等が不要である。以下説明する。
【００５４】
図６に示すように、冷房スイッチがオンされると（ステップＳ１０）、コンプレッサ、ブロア（図示せず）等が駆動される（ステップＳ１１）。そして、目標の室内温度より目標吹き出し空気温度Ｔｏを設定する（ステップＳ１２）。冷房すべき室内温度が目標室内温度より高い場合には通常冷房モードが選択される（ステップＳ１３）。通常冷房モードでは、図７（ａ）、（ｂ）に示すように、第２膨脹弁６の絞りを最大開度として第１膨脹弁４を制御する。これによって、冷房用エバポレータ５と除湿用エバポレータ７の冷媒蒸発圧力が共に低く設定されるため、最大冷房性能を発揮できる。又、冷房用エバポレータ５と除湿用エバポレータ７の冷媒蒸発圧力が共に低く設定されるため、冷房用エバポレータ５及び除湿用エバポレータ７の各通過空気の温度は、露点温度以下になる。従って、冷房用エバポレータ５及び除湿用エバポレータ７が共に自らの凝縮水で濡れた状態となって臭いの発生がない。
【００５５】
通常冷房モード過程では、冷房すべき室内温度が目標室内温度になったか否かをチェックし（ステップＳ１２）、目標室内温度になった場合には省エネ冷房モードに切り換えられる（ステップＳ１５）。省エネ冷房モードに切り換えられると、先ず、除湿用エバポレータ７の下流の冷媒圧力Ｐｅ２と吹き出し空気温度Ｔｏを読み込む（ステップＳ１６）。つまり、通常冷房モード時の最終的な冷媒圧力Ｐｅ２は、除湿用エバポレータ７の通過空気を露点温度以下に制御するための目標冷媒圧力となり、通常冷房モード時の最終的な吹き出し空気温度Ｔｏは、目標吹き出し温度となるためである。省エネ冷房モードでは、図８（ａ）、（ｂ）に示すように、第１膨脹弁４の絞り開度を微量だけ開放し（ステップＳ１７）、且つ、第２膨脹弁６の絞り開度を微量だけ絞り（ステップＳ１８）、且つ、ミックスドア１６をクール側（ヒータコア１５への空気通過量を絞る方向）に微量だけ移動し（ステップＳ１９）、目標吹き出し空気温度Ｔｏと除湿用エバポレータ７の下流の目標冷媒圧力Ｐｅ２を維持しているか否かをチェックする（ステップＳ２０、Ｓ２１）。目標吹き出し空気温度Ｔｏと目標冷媒圧力Ｐｅ２を維持していれば、上記動作を続行する（ステップＳ１７〜Ｓ１９）。つまり、第１膨脹弁の絞り開度を徐々に開放し、且つ、第２膨脹弁６の絞りを最大開度から徐々に絞る制御を行う。これによって、除湿用エバポレータ７の冷媒圧力は目標冷媒圧力Ｐｅ２を維持しつつ冷房用エバポレータ５の冷媒圧力Ｐｅ１は徐々に高くなり（図８（ｂ）にて仮想線で示す）、省動力運転となる。
【００５６】
そして、上記動作過程にあって、ミックスドア１６の位置がフルクールポジション（ヒータコア１５への通過空気量を全て遮断する位置）になったか否かをチェックする（ステップＳ２２）。ミックスドア１６がフルクールポジションにまで変移すると、図９（ａ）、（ｂ）に示すように、ミックスドア１６の位置をフルクールポジションに固定する（ステップＳ２３）。そして、車室内温度が目標の車室内温度を維持していれば省エネ冷房モードを続行し、車室内温度が目標の室内温度より高くなっていれば、通常冷房モードに切り換える。
【００５７】
以上、この他の制御では、通常冷房モードでは、冷房用エバポレータ５と除湿用エバポレータ７の冷媒蒸発圧力が共に低く設定されるため、冷房用エバポレータ５及び除湿用エバポレータ７の双方が自らの凝縮水で濡れた状態となって臭いの発生がなく、最大冷房性能を発揮し迅速な冷房が可能である。そして、通常冷房モードから省エネ冷房モードに切り換えられた場合には、室内温度を目標室内温度に維持しつつ除湿用エバポレータ７の通過空気を露点温度以下とする状態、つまり、臭いを発生させることなく十分な省動力運転に移行できる。又、通常冷房モードから省エネ冷房モードに切り換えられた場合では、ミックスドア１６の位置を最終的にフルクール位置に固定するよう制御するので、冷房用エバポレータ５及び除湿用エバポレータ７を通過した冷風がヒータコア１５で再加熱されない状態とするため、更なる省動力運転が可能である。
【００５８】
（配風量調整手段の変形例）
図１０は配風量調整手段の変形例に係る空調用通路内の配置図である。図１０に示すように、配風量調整手段は、配風ドアに替えて、空調用通路１２の冷房用エバポレータ５と除湿用エバポレータ７の各上流に配置された２台のブロア３０，３１から構成されている。２台のブロア３０，３１は、別個独立に駆動可能である。下方のブロア３０は、冷房用エバポレータ５に主に送風しり、上方のブロア３１は除湿用エバポレータ７に主に送風する。
【００５９】
この変形例では、冷房用エバポレータ５と除湿用エバポレータ７を通過した空気の混合後の温度調整を各ブロア３０，３１の送風量を調整することによって行うことができ、吹き出し空気の温度調整が簡単にできる。
【図面の簡単な説明】
【００６０】
【図１】本発明の一実施形態を示し、車両用空気調和装置の構成図である。
【図２】本発明の一実施形態を示し、空調ダクト内の配置図である。
【図３】本発明の一実施形態を示し、（ａ）はチューブシートの内面図、（ｂ）は図３（ａ）のＡ−Ａ線断面図である。
【図４】本発明の一実施形態を示し、冷房用エバポレータ及び除湿用エバポレータの冷媒流れを示す概念図である。
【図５】本発明の一実施形態を示し、車両用空気調和装置の空調動作フローチャートである。
【図６】車両用空気調和装置の他の制御例の空調動作フローチャートである。
【図７】（ａ）は通常冷房モードにおける空調ダクト内の配置図、（ｂ）はＰ−ｈ線図上に通常冷房モードにおける冷凍サイクルの状態を示した図である。
【図８】（ａ）は通常冷房モードから省エネ冷房モードへの移行過程における空調ダクト内の配置図、（ｂ）はＰ−ｈ線図上に、通常冷房モードから省エネ冷房モードへの移行過程における冷凍サイクルの状態を示した図である。
【図９】（ａ）は省エネ冷房モードにおける空調ダクト内の配置図、（ｂ）はＰ−ｈ線図上に省エネ冷房モードにおける冷凍サイクルの状態を示した図である。
【図１０】配風量調整手段の変形例に係る空調用通路内の配置図である。
【符号の説明】
【００６１】
１  車両用空気調和装置（空気調和装置）
４  第１減圧手段（第１膨張弁）
５  冷房用エバポレータ
６  第２減圧手段（第２膨張弁）
７  除湿用エバポレータ
１０  制御部
１３  配風ドア（配風量調整手段）
１５  ヒータコア
１６  ミックスドア
１８  露点温度認識手段
２０  チューブシート
３０，３１  ブロア（配風量調整手段）
Ｓ３  吸い込み空気温度センサ（露点温度認識手段）
Ｓ４  相対湿度センサ（露点温度認識手段）
Ｓ５  吹き出し空気温度センサ（吹き出し空気温度検知手段）
【図１】
0004972022.tif 000002
【図２】
0004972022.tif 000003
【図３】
0004972022.tif 000004
【図４】
0004972022.tif 000005
【図５】
0004972022.tif 000006
【図６】
0004972022.tif 000007
【図７】
0004972022.tif 000008
【図８】
0004972022.tif 000009
【図９】
0004972022.tif 000010
【図１０】
0004972022.tif 000011